(57)【要約】【課題】この発明は、蓄電デバイスとして、蓄積するエネルギー容量が比較的小さなものを用いることができるようになる画像形成装置を提供することを目的とする。【解決手段】ＯＳが動作するＣＰＵを有するシステムコントローラを備えた画像形成装置において、電源回路に基づいて充電される充電デバイス、通常動作中に停電が発生したことを検知する停電検知回路、および充電デバイスによって電源が供給されており、かつ停電検知回路によって停電が検知されたときに停電時制御処理を行なうための停電時制御装置を備えており、停電時制御装置は、停電検知回路によって停電が検知されたときに、システムコントローラに充電デバイスから電源を供給させるとともにシステムコントローラにシャットダウン処理を実行させる手段およびシステムコントローラがシャットダウン処理を終了した後に停電時制御装置以外のシステムへの電力供給を停止させる手段を備えている。【選択図】図１
2008022452.tif 000002
【特許請求の範囲】
【請求項１】
ＯＳが動作するＣＰＵを有するシステムコントローラを備えた画像形成装置において、
電源回路に基づいて充電される充電デバイス、
通常動作中に停電が発生したことを検知する停電検知回路、および
充電デバイスによって電源が供給されており、かつ停電検知回路によって停電が検知されたときに停電時制御処理を行なうための停電時制御装置を備えており、
停電時制御装置は、停電検知回路によって停電が検知されたときに、システムコントローラに充電デバイスから電源を供給させるとともにシステムコントローラにシャットダウン処理を実行させる手段およびシステムコントローラがシャットダウン処理を終了した後に停電時制御装置以外のシステムへの電力供給を停止させる手段を備えていることを特徴とする画像形成装置。
【請求項２】
ＯＳが動作するＣＰＵ、ファクシミリ制御部およびファクシミリの受信データ等が格納される記憶装置を有するシステムコントローラを備えた画像形成装置において、
電源回路に基づいて充電される充電デバイス、
通常動作中に停電が発生したことを検知する停電検知回路、および
充電デバイスによって電源が供給されており、かつ停電検知回路によって停電が検知されたときに停電時制御処理を行なうための停電時制御装置を備えており、
停電時制御装置は、停電検知回路によって停電が検知されたときに、システムコントローラに充電デバイスから電源を供給させる手段、停電検知回路によって停電が検知されたときに、ファクシミリ受信中であるか否かを判別する手段、ファクシミリ受信中でない場合にはシステムコントローラにシャットダウン処理を実行させ、ファクシミリ受信中である場合には現在受信中の受信データの全てが記憶装置に記憶されてからシステムコントローラにシャットダウン処理を実行させる手段、およびシステムコントローラがシャットダウン処理を終了した後に停電時制御装置以外のシステムへの電力供給を停止させる手段を備えていることを特徴とする画像形成装置。
【請求項３】
ＯＳが動作するＣＰＵ、ファクシミリ制御部およびファクシミリの受信データ等が格納される記憶装置を有するシステムコントローラと、印刷エンジンとを備えた画像形成装置において、
電源回路に基づいて充電される充電デバイス、
通常動作中に停電が発生したことを検知する停電検知回路、および
充電デバイスによって電源が供給されており、かつ停電検知回路によって停電が検知されたときに停電時制御処理を行なうための停電時制御装置を備えており、
停電時制御装置は、停電検知回路によって停電が検知されたときに、システムコントローラおよび印刷エンジンに充電デバイスから電源を供給させる手段、停電検知回路によって停電が検知されたときに、ファクシミリ受信中であるか否かを判別する手段、ファクシミリ受信中でない場合にはシステムコントローラにシャットダウン処理を実行させ、ファクシミリ受信中である場合には現在受信中の受信データの全てが記憶装置に記憶されかつその受信データの全てが印刷エンジンによって印刷されてからシステムコントローラにシャットダウン処理を実行させる手段、およびシステムコントローラがシャットダウン処理を終了した後に停電時制御装置以外のシステムへの電力供給を停止させる手段を備えていることを特徴とする画像形成装置。
【発明の詳細な説明】
【技術分野】
【０００１】
この発明は、複写機、ファクシミリ装置、複合機等の画像形成装置に関する。
【背景技術】
【０００２】
ファクシミリ装置として、商用電源が停電し、無停電電源内のバッテリーから電力を供給した場合に、動作状態を維持することができる時間を伸ばすことができるようにしたものが既に開発されている（特開平１０−２３３８６７号公報参照）。
【０００３】
このようなファクシミリ装置では、停電期間中において動作状態を維持させるために、蓄積するエネルギー容量が大きい蓄電池を使用する必要があり、コストが高くなるとともに、蓄電池の重量および体積が大きくなるという問題がある。
【０００４】
ところで、デジタル複写機や複写機能の他にファクシミリ機能等の他の機能をも備えた複合機等の画像形成装置では、通常のＰＣやサーバに類似したオペレーションシテスム（ＯＳ）が用いられている。このため、デジタル複写機や複合機等の画像形成装置においても、ＰＣやサーバと同様に、作業中のデータについては、電源停止時にしかるべき手順で保存終了（シャットダウン）することが必要である。
【０００５】
ＰＣやサーバでは、停電時に直ちに電源供給が停止されるとシステムが適切にシャットダウンされないので、停電時に無停電電源（ＵＰＳ）を用いて電源供給を維持させるといった構成を採用する場合がある。
【０００６】
一方、デジタル複写機や複合機等の画像形成装置においては、電源供給ラインには、ＯＳを動作させるシステムの他に、定着ヒータやモータなどの比較的大容量の出力を必要とする負荷が接続されている。このため、通常のＰＣやサーバで用いられるような数百から１ＫＷ程度までの出力の無停電電源では、１ＫＷを超える出力を必要とする複合機には使用できない。
【０００７】
【特許文献１】特開平１０−２３３８６７号公報参照
【発明の開示】
【発明が解決しようとする課題】
【０００８】
この発明は、停電期間中において動作状態を維持させるために蓄電デバイスを用いるのではなく、停電発生時にシステムを正常にシャットダウンさせるために蓄電デバイスを用いることにより、蓄電デバイスとして、蓄積するエネルギー容量が比較的小さなものを用いることができるようになる画像形成装置を提供することを目的とする。
【課題を解決するための手段】
【０００９】
請求項１に記載の発明は、ＯＳが動作するＣＰＵを有するシステムコントローラを備えた画像形成装置において、電源回路に基づいて充電される充電デバイス、通常動作中に停電が発生したことを検知する停電検知回路、および充電デバイスによって電源が供給されており、かつ停電検知回路によって停電が検知されたときに停電時制御処理を行なうための停電時制御装置を備えており、停電時制御装置は、停電検知回路によって停電が検知されたときに、システムコントローラに充電デバイスから電源を供給させるとともにシステムコントローラにシャットダウン処理を実行させる手段およびシステムコントローラがシャットダウン処理を終了した後に停電時制御装置以外のシステムへの電力供給を停止させる手段を備えていることを特徴とする。
【００１０】
請求項２に記載の発明は、ＯＳが動作するＣＰＵ、ファクシミリ制御部およびファクシミリの受信データ等が格納される記憶装置を有するシステムコントローラを備えた画像形成装置において、電源回路に基づいて充電される充電デバイス、通常動作中に停電が発生したことを検知する停電検知回路、および充電デバイスによって電源が供給されており、かつ停電検知回路によって停電が検知されたときに停電時制御処理を行なうための停電時制御装置を備えており、停電時制御装置は、停電検知回路によって停電が検知されたときに、システムコントローラに充電デバイスから電源を供給させる手段、停電検知回路によって停電が検知されたときに、ファクシミリ受信中であるか否かを判別する手段、ファクシミリ受信中でない場合にはシステムコントローラにシャットダウン処理を実行させ、ファクシミリ受信中である場合には現在受信中の受信データの全てが記憶装置に記憶されてからシステムコントローラにシャットダウン処理を実行させる手段、およびシステムコントローラがシャットダウン処理を終了した後に停電時制御装置以外のシステムへの電力供給を停止させる手段を備えていることを特徴とする。
【００１１】
請求項３に記載の発明は、ＯＳが動作するＣＰＵ、ファクシミリ制御部およびファクシミリの受信データ等が格納される記憶装置を有するシステムコントローラと、印刷エンジンとを備えた画像形成装置において、電源回路に基づいて充電される充電デバイス、通常動作中に停電が発生したことを検知する停電検知回路、および充電デバイスによって電源が供給されテおり、かつ停電検知回路によって停電が検知されたときに停電時制御処理を行なうための停電時制御装置を備えており、停電時制御装置は、停電検知回路によって停電が検知されたときに、システムコントローラおよび印刷エンジンに充電デバイスから電源を供給させる手段、停電検知回路によって停電が検知されたときに、ファクシミリ受信中であるか否かを判別する手段、ファクシミリ受信中でない場合にはシステムコントローラにシャットダウン処理を実行させ、ファクシミリ受信中である場合には現在受信中の受信データの全てが記憶装置に記憶されかつその受信データの全てが印刷エンジンによって印刷されてからシステムコントローラにシャットダウン処理を実行させる手段、およびシステムコントローラがシャットダウン処理を終了した後に停電時制御装置以外のシステムへの電力供給を停止させる手段を備えていることを特徴とする。
【発明の効果】
【００１２】
この発明によれば、蓄電デバイスとして、蓄積するエネルギー容量が比較的小さなものを用いることができるようになる。
【発明を実施するための最良の形態】
【００１３】
以下、図面を参照して、本発明を、複写機能およびファクシミリ機能を備えた複合機に適用した場合の実施例について説明する。
【実施例１】
【００１４】
図１は、複合機の電気的構成を示している。
【００１５】
複合機は、電源回路（ＰＳＵ）１、充電制御回路２、蓄電デバイス３、電源切替スイッチ４、電源制御用ＣＰＵ（停電時制御装置）５、複合機コントローラ（システムコントローラ）６、エンジンシステム７等を備えている。
【００１６】
複合機コントローラ６は、ＯＳが動作する複合機制御用ＣＰＵ６１、メモリ６２、ＨＤＤ６３、ファクシミリ制御部６４等を備えている。エンジンシステム７は、画像読取機構および画像形成機構（印刷エンジン）内のモータ、ヒータ等を備えている。エンジンシステム７は、複合機制御用ＣＰＵ６１によって制御される。
【００１７】
電源回路１は、商用交流電源から充電制御回路２、エンジンシステム７および複合機コントローラ６の電源を生成する。電源回路１は、停電が発生したことを検知するための電源監視回路（停電検知回路）１１を含んでいる。
【００１８】
蓄電デバイス３としては、蓄電池や大容量キャパシタから構成される。充電制御回路２は、電源回路１からの電力に基づいて、蓄電デバイス３を充電する。
【００１９】
電源切替スイッチ４は、複合機コントローラ６への電力供給元を、電源回路１または蓄電デバイス３に切り替える。つまり、複合機コントローラ６には、電源回路１または蓄電デバイス３から電源が供給される。なお、通常時には、複合機コントローラ６には、電源回路１から電源が供給される。エンジンシステム７には、電源回路１から電源が供給される。
【００２０】
電源制御用ＣＰＵ５には、常時、蓄電デバイス３から電源が供給される。停電が発生した場合には、電源監視回路１１から電源制御用ＣＰＵ５に停電が発生したことを検知した信号が送られる。電源制御用ＣＰＵ５は、充電制御回路２および電源切替スイッチ４を制御する。また、電源制御用ＣＰＵ５は、複合機制御用ＣＰＵ６１と通信する機能を備えている。
【００２１】
図２は、電源制御用ＣＰＵ５によって実行される停電時制御処理手順を示している。
【００２２】
複合機の全システムが通常動作を行なっている場合において（ステップＳ１）、電源監視回路１１によって停電が検知されると（ステップＳ２）、電源制御用ＣＰＵ５は、電源切替スイッチ４を制御することにより、複合機コントローラ６への電源供給元を電源回路１から蓄電デバイス３に切り替える（ステップＳ３）。なお、停電が発生した場合には、エンジンシステム７には電源が供給されなくなる。
【００２３】
次に、電源制御用ＣＰＵ５は、複合機制御用ＣＰＵ６１にファクシミリの新規着信を拒否する設定を行なわせる（ステップＳ４）。また、電源制御用ＣＰＵ５は複合機制御用ＣＰＵ６１に、複合機コントローラ６がファクシミリ受信中であるか否かを問い合わせることにより、複合機コントローラ６がファクシミリ受信中であるか否かを判別する（ステップＳ５）。
【００２４】
複合機コントローラ６がファクシミリ受信中でない場合には、ステップＳ７に進む。一方、複合機コントローラ６がファクシミリ受信中である場合には、電源制御用ＣＰＵ５は、複合機制御用ＣＰＵ６１と通信を行なうことにより、現在受信中の受信データの全てがＨＤＤ６３に格納されたか否かを判別する（ステップＳ６）。
【００２５】
現在受信中の受信データの全てがＨＤＤ６３に格納されていない場合には、現在受信中の受信データの全てがＨＤＤ６３に格納されるまで待機する。現在受信中の受信データの全てがＨＤＤ６３に格納された場合には、ステップＳ７に進む。
【００２６】
ステップＳ７では、電源制御用ＣＰＵ５は、複合機制御用ＣＰＵ６１に複合機コントローラ６をシャットダウンさせるための処理を実行させる。
【００２７】
電源制御用ＣＰＵ５は、複合機制御用ＣＰＵ６１と通信を行なうことにより、複合機コントローラ６がシャットダウンしたか否かを判別する（ステップＳ８）。複合機コントローラ６がシャットダウンしていない場合には、複合機コントローラ６が適切にシャットダウンするのを待機する。
【００２８】
複合機コントローラ６がシャットダウンした場合には、電源制御用ＣＰＵ５は、電源制御用ＣＰＵ５以外の全てのシステムへの電力供給を停止させる（ステップＳ９）。具体的には、電源制御用ＣＰＵ５は、電源切替スイッチ４を制御することにより、複合機コントローラ６への電源供給元を蓄電デバイス３から電源回路１に切り替える。そして、今回の停電時制御処理を終了する。
【００２９】
なお、停電復帰後に電源が投入された場合には、上記停電時制御処理においてファクシミリの新規着信を拒否する設定が行なわれていた場合でも、初期設定においてファクシミリの新規着信を拒否する設定は解除される。また、ＨＤＤ６３に上記停電時制御処理において受信データが格納されている場合には、その受信データが自動的に印刷される。
【００３０】
上記実施例では、停電発生時においては、エンジンシステム７へは電源が供給されなくなっているが、停電発生時において、蓄電デバイス３からエンジンシステム７へ電源を供給するようにしてもよい。ただし、複合機コントローラ６がシャットダウンした後は、エンジンシステム７への電力供給が停止せしめられる。
【００３１】
このように、停電発生時に蓄電デバイス３からエンジンシステム７へ電源を供給するようにした場合には、停電発生時においてファクシミリ受信中であれば、現在受信中の受信データの全てがＨＤＤ６３に格納されかつそれらの受信データの印刷が終了した後に、複合機コントローラ６をシャットダウンさせるための処理を行なうようにしてもよい。
【図面の簡単な説明】
【００３２】
【図１】複合機の電気的構成を示すブロック図である。
【図２】電源制御用ＣＰＵ５によって実行される停電時制御処理手順を示すフローチャートである。
【符号の説明】
【００３３】
１  電源回路（ＰＳＵ）
２  充電制御回路
３  蓄電デバイス
４  電源切替スイッチ
５  電源制御用ＣＰＵ
６  複合機コントローラ
７  エンジンシステム
１１  電源監視回路
６１  複合機制御用ＣＰＵ
６２  メモリ
６３  ＨＤＤ
６４  ファクシミリ制御部
【図１】
2008022452.tif 000003
【図２】
2008022452.tif 000004